(57)【要約】【課題】穿孔工具によって施された穿孔の数を、正確に把握することを可能にする。【解決手段】穿孔工具１００に備えられたドリルビットＤにより対象物Ｔに穿孔Ｈを施す動作と連動して、ドリルビットＤの軸方向に移動するカバー部材５の移動回数を数値カウンタ３が計数し表示部３ｂに表示する。穿孔動作に伴うカバー部材５の移動回数に基づき、施された穿孔Ｈの数が数値カウンタ３に自動的に表示されるので、穿孔動作と同時に穿孔Ｈの数を正確に把握することができる。【選択図】　　図６
2004082250.tif 000002
【特許請求の範囲】
【請求項１】
穿孔ビットにより対象物に穿孔を施す穿孔工具において、
前記穿孔ビットにより対象物に穿孔を施す動作を検知して表示数を増加させるカウンタを備えることを特徴とする穿孔工具。
【請求項２】
穿孔ビットにより対象物に穿孔を施す穿孔工具において、
前記穿孔ビットにより対象物に穿孔を施す動作と連動して前記穿孔ビットの軸方向に移動するカバー部材と、
前記カバー部材の移動回数を計数して表示するカウンタと、
を備えることを特徴とする穿孔工具。
【請求項３】
前記カバー部材は、
前記穿孔工具の本体に固定された固定部材に、前記穿孔ビットの軸方向に移動自在に保持されるとともに、
前記カバー部材に一体的に固定され、前記カウンタに設けられたカウンタスイッチを押下する連結ロッドと、前記穿孔ビットが出入する先端部と、を有し、
付勢手段により前記先端部側に付勢されていることを特徴とする請求項２に記載の穿孔工具。
【発明の詳細な説明】
【０００１】
【発明の属する技術分野】
本発明は、対象物に施した穿孔の数をカウントし、そのカウントした穿孔の数を表示することにより、対象物に施された穿孔の数を早く、正確に確認することができる穿孔工具に関する。
【０００２】
【従来の技術】
従来、航空機等の組み立てを行う際に、リベット用の孔穴を設けるため、組立部材における穿孔指定位置に対し、指定孔サイズに応じた穿孔工具を用いて穿孔を施している。そして、所定の数の穿孔が施されたことを確認するため、作業者が組立部材に施された穿孔の数を孔サイズ毎に、孔サイズを目視により確認しつつ、数えていた。
【０００３】
【発明が解決しようとする課題】
しかしながら、作業者が穿孔の数を目視により数える方法では、施された穿孔が無数である場合に、作業者の数え間違いが生じることがあった。特に、穿孔の孔サイズの区別がつきにくい複数の孔サイズの穿孔が施されている場合には、孔サイズの認識違いにより、孔サイズを間違えた数え違いが生じることがあった。
【０００４】
本発明の課題は、穿孔工具によって施された穿孔の数を、正確に把握することができる穿孔工具を提供することである。
【０００５】
【課題を解決するための手段】
以上の課題を解決するため、請求項１記載の発明は、穿孔ビットにより対象物に穿孔を施す穿孔工具において、前記穿孔ビットにより対象物に穿孔を施す動作を検知して表示数を増加させるカウンタを備えることを特徴とする。
【０００６】
請求項１記載の発明によれば、穿孔工具は、穿孔工具に備えられた穿孔ビットにより対象物に穿孔を施す動作を検知して、例えば、穿孔ビットが対象物の基準点から所定距離移動したことを検知して、表示数を増加させるカウンタを備えているので、穿孔動作と連動し、施された穿孔の数をカウンタに自動的に表示することができ、穿孔動作と同時に穿孔の数を正確に把握することが可能となる。
【０００７】
請求項２記載の発明は、穿孔ビットにより対象物に穿孔を施す穿孔工具において、前記穿孔ビットにより対象物に穿孔を施す動作と連動して前記穿孔ビットの軸方向に移動するカバー部材と、前記カバー部材の移動回数を計数して表示するカウンタと、を備えることを特徴とする。
【０００８】
請求項２記載の発明によれば、穿孔工具は、穿孔工具に備えられた穿孔ビットにより対象物に穿孔を施す動作と連動して、穿孔ビットの軸方向に移動するカバー部材の移動回数を計数して表示するカウンタを備えているので、穿孔動作に伴うカバー部材の移動回数に基づき、施された穿孔の数をカウンタに自動的に表示することができ、穿孔動作と同時に穿孔の数を正確に把握することが可能となる。
【０００９】
請求項３記載の発明は、請求項２に記載の穿孔装置において、前記カバー部材は、前記穿孔工具の本体に固定された固定部材に、前記穿孔ビットの軸方向に移動自在に保持されるとともに、前記カバー部材に一体的に固定され、前記カウンタに設けられたカウンタスイッチを押下する連結ロッドと、前記穿孔ビットが出入する先端部と、を有し、付勢手段により前記先端部側に付勢されていることを特徴とする。
【００１０】
請求項３記載の発明によれば、請求項２に記載の発明と同様の効果が得られることは無論のこと、特に、カバー部材は、穿孔工具本体に固定された固定部材に、穿孔ビットの軸方向に移動自在に保持されるとともに、付勢手段により先端部側に付勢されている構成であり、カバー部材に一体的に固定され、カウンタに設けられたカウンタスイッチを押下する連結ロッドを有しているので、穿孔動作時にカバー部材が穿孔ビットの軸方向へ移動する回数をカウンタがより確実に計数することができる。
【００１１】
【発明の実施の形態】
以下、図を参照して本発明の実施の形態を詳細に説明する。
図１は、本発明の穿孔工具を示す側面図であり、図２は、同穿孔工具の平面図である。図３は、同穿孔工具における穿孔工具本体と移動部とを分離した側面図である。これらの図からも明らかなように、本願の穿孔工具は手に持って孔開けを行う携行可能な穿孔工具である。
図１から図３に示されるように、穿孔工具１００は、チャック１を軸支する回転軸２が備えられた穿孔工具本体１０と、穿孔工具本体１０に取り付けられ、チャック１の周囲を覆うカバー部材５が備えられた移動部２０と、穿孔工具本体１０の上面に固定された数値カウンタ３等を備えている。
【００１２】
穿孔工具本体１０の内部には、回転軸２に接続された図示しない回転駆動機構部が備えられており、その回転駆動機構部（図示省略）により回転軸２は、回転駆動される。回転軸２に軸支されたチャック１は回転軸２を介し回転駆動される。
チャック１は、様々な穿孔ビットを着脱可能に構成されており、穿孔のサイズや用途毎に応じた穿孔ビットがチャック１に取り付けられ、保持される。
【００１３】
移動部２０は、穿孔工具本体１０に固定される固定部材である固定部４と、固定部４を介して穿孔工具本体１０に取り付けられ、チャック１の周囲を覆うカバー部材５と、カバー部材５をチャック１に保持された穿孔ビットの先端側に弾性的に付勢する付勢手段であるコイルばね６・・・等により構成されている。
固定部４は、図４に示されるように、ヒンジ４ａを介して連結された上固定部材４ｂと下固定部材４ｃと、上固定部材４ｂと下固定部材４ｃとを接続し固定する固定ボルト４ｄ等により構成されている。固定部４は、穿孔工具本体１０における回転軸２を支持する筒部１０ａの所定の位置に取り付けられた上固定部材４ｂと下固定部材４ｃとが、固定ボルト４ｄにより締め合わされ、接続されることにより、筒部１０ａの外周を把持するように固定される。そして、固定部４に備えられたカバー部材５は、チャック１に保持される穿孔ビットの周囲を覆うように穿孔工具本体１０に取り付けられる。
また、上固定部材４ｂと下固定部材４ｃとには、回転軸方向に貫通する複数の貫通孔４ｅ・・・が形成されている。
【００１４】
カバー部材５は、固定部４の上固定部材４ｂと下固定部材４ｃとに形成された複数の貫通孔４ｅ・・・を貫く複数のロッド部材５ａ・・・と、複数のロッド部材５ａ・・・を所定の配置に束ねる第１のリング部材５ｂ、第２のリング部材５ｃと、第２のリング部材５ｃに設けられ、穿孔ビットが出入する先端部である開口部５ｄを有するヘッドリング部材５ｅと、所定のロッド部材５ａの基端から延長して一体形成され、後述する数値カウンタ３のカウンタスイッチ３ａに当接あるいは所定距離離れて対抗して配置される連結ロッド５ｆ等により構成されている。また、その他のロッド部材５ａ・・・の基端は、貫通孔４ｅより大径にされたり、曲げられたりして、穿孔ビット側（先端側）への移動が阻止される。
【００１５】
移動部２０において、コイルばね６の一端はカバー部材５の第１のリング部材５ｂに接続され、コイルばね６の他端は固定部４に接続されている。カバー部材５のヘッドリング部材５ｅに対し、図中左方向への力が作用すると、カバー部材５は、コイルばね６・・・を縮ませつつ、図中左側、固定部４側へ移動する。この力の作用が途絶えると、コイルばね６・・・が伸びる作用により、カバー部材５は、図中右側へ移動し元の位置に戻る。このように、カバー部材５は、コイルばね６を介して固定部４に弾性支持されている。
【００１６】
数値カウンタ３は、カウント回数を入力するためのカウンタスイッチ３ａと、カウンタスイッチ３ａを介して入力されたカウント回数を表示する表示部３ｂと、表示部３ｂに表示されたカウント回数をリセットするリセットスイッチ３ｃ等を備えている。
カウンタスイッチ３ａには、カバー部材５の連結ロッド５ｆが当接しており、カバー部材５が移動することと連動し、連結ロッド５ｆがカウンタスイッチ３ａを押下することにより、その押下したカウント回数が数値カウンタ３に入力されるとともに表示部３ｂに表示される。
【００１７】
次に、本発明の穿孔工具１００における穿孔動作について、図６〜図９を参照し、説明する。
図６は、本発明の穿孔工具に穿孔ビットが保持された状態を示す側面図である。図７から図９は、穿孔ビットが保持された本発明の穿孔工具と穿孔を施す対象物Ｔを示す平面図であり、
図６に示されるように、穿孔工具１００のチャック１に、穿孔ビットであるドリルビットＤが保持され、カバー部材５が穿孔工具本体１０に固定部４により取り付けられると、ドリルビットＤの先端部が、カバー部材５のヘッドリング部材５ｅの開口部５ｄから４〜８ｍｍ程度突出した状態となる。
このように、ドリルビットＤの先端部が、カバー部材５の開口部５ｄから４〜８ｍｍ程度、突出していることにより、穿孔を施す対象物Ｔにおける穿孔指定位置に対してドリルビットＤの位置決めを行いやすい。
【００１８】
まず、穿孔工具１００に備えられた数値カウンタ３のリセットスイッチ３ｃを押下し、表示部３ｂに表示されたカウント回数をリセットする。図７に示されるこの状態において、数値カウンタ３の表示部３ｂには「０００」が表示されている。そして、穿孔工具１００を、穿孔を施す対象物Ｔの表面に向け、ドリルビットＤを穿孔指定位置に対し位置決めを行う。
【００１９】
次いで、穿孔工具本体１０の穿孔操作スイッチ１０ｂ等の操作により、回転駆動機構部（図示省略）を駆動させ、回転軸２を回転駆動させるとともに、チャック１に保持されたドリルビットＤを回転駆動する。そして、穿孔工具１００を、穿孔を施す対象物Ｔに近づけ、ドリルビットＤを対象物Ｔにおける穿孔指定位置に対し圧接する。
すると、回転駆動するドリルビットＤは、対象物Ｔに穿孔Ｈを施しつつ、対象物Ｔの裏面、内部方向へ進入する。このように、ドリルビットＤを対象物Ｔに圧接し、ドリルビットＤを対象物Ｔの裏面、内部方向へ進入させると、穿孔工具１００は対象物Ｔに近づくので、カバー部材５のヘッドリング部材５ｅが対象物Ｔの表面に当接する。さらに、ドリルビットＤが対象物Ｔの裏面、内部方向へ進入するように、穿孔工具１００を対象物Ｔに近づけると、図８に示されるように、穿孔工具１００を対象物Ｔに近づける反作用により、対象物Ｔが、カバー部材５のヘッドリング部材５ｅに対し、図中左方向への作用力を加える。この対象物Ｔの作用力によりカバー部材５は、コイルばね６・・・を縮ませつつ、相対的に固定部４側へ移動する。このカバー部材５が固定部４側へ移動することと連動し、カバー部材５の所定のロッド部材５ａに一体形成された連結ロッド５ｆが数値カウンタ３のカウンタスイッチ３ａを押下する。そして、対象物Ｔに孔を開け終わった長さだけカウンタスイッチ３ａが押下されると、穿孔工具１００が穿孔Ｈを施した回数としてのカウント回数が数値カウンタ３に入力される。図８に示されるこの状態において、数値カウンタ３の表示部３ｂには、１回の穿孔動作によるカウント回数「００１」が表示されている。
【００２０】
なお、カバー部材５のヘッドリング部材５ｅの開口部５ｄは、図５に示されるように、円形形状であるので、平面はもちろん、球面を有する対象物Ｔに対しカバー部材５を当接し、押し付けた際にも安定した当接姿勢をとることができる。よって、ドリルビットＤを対象物Ｔの穿孔指定位置における当接面に対し垂直に圧接し、良好な垂直状の穿孔を施すことができる。
【００２１】
次いで、所定の穿孔の形成後、穿孔工具１００を対象物Ｔから離すことに伴い、カバー部材５のヘッドリング部材５ｅは対象物Ｔの表面から離れる。図９に示されるこの状態において、対象物Ｔが、カバー部材５のヘッドリング部材５ｅに加える作用力が途絶えるので、移動部２０のコイルばね６・・・が伸びる弾性力により、カバー部材５は、所定の位置に戻る。なお、数値カウンタ３の表示部３ｂには、カウント回数として、穿孔動作により施された穿孔の数が「００１」と表示されている。
そして、２回目以降の穿孔動作を１回目と同様に続けることにより、数値カウンタ３の表示部３ｂには、穿孔動作回数であるカウント回数が表示される。そのカウント回数を確認することにより、対象物Ｔに施した穿孔Ｈの数を把握することができる。
【００２２】
また、所定の穿孔動作の終了時、数値カウンタ３の表示部３ｂに表示されたトータルのカウント回数を確認し、対象物Ｔに施した穿孔Ｈの総数を把握した後、数値カウンタ３のリセットスイッチ３ｃを押下し、表示部３ｂに表示されたカウント回数をリセットする。そして、次の穿孔動作における穿孔Ｈの数を同様にカウントする。
このリセットスイッチ３ｃを押下し、表示部３ｂに表示されたカウント回数をリセットすることは、所定の穿孔動作毎（例えば、対象物Ｔ毎や、対象物Ｔにおけるエリア毎における穿孔動作）や、ドリルビットＤを交換しサイズが異なる穿孔Ｈを施す際などに行うことにより、それぞれの穿孔Ｈの数を正確にカウントすることができる。
【００２３】
このように、本発明の穿孔工具１００において、穿孔工具１００に備えられたドリルビットＤにより対象物Ｔに穿孔Ｈを施す際に、その穿孔動作に伴い、ドリルビットＤを回転駆動する回転軸２方向に移動する移動部２０のカバー部材５の移動回数を数値カウンタ３が計数し、表示する。よって、穿孔動作に連動する移動部２０の移動回数に基づき、施された穿孔Ｈの数が数値カウンタ３に自動的に表示されることとなって、数値カウンタ３に表示された数値を確認することにより、穿孔動作と同時に穿孔Ｈの数を正確に把握することが可能となる。
従って、作業者が穿孔Ｈの数を数えつつ穿孔Ｈを施すことや、穿孔動作終了後に施した穿孔Ｈの数を作業者が数えることの必要がないので、作業者の労力を低減することができる。また、作業者が穿孔Ｈの数を目視により数える場合では、数え間違いが生じることがあったが、数値カウンタ３による穿孔動作の機械的計数方法によっては、数え間違いはなく、より正確に穿孔Ｈの数をカウントすることができる。
【００２４】
なお、以上の実施の形態においては、カバー部材５の開口部５ｄからドリルビットＤの先端部が突出した構成としたが、本発明はこれに限定されるものではなく、ドリルビットＤはカバー部材５内に収容されている構成であってもよい。
また、カバー部材５の開口部５ｄを除く周囲が隙間なく、ドリルビットＤ、チャック１、回転軸２を覆う構成にすれば、回転軸２の回転時等に、手などが不要に回転体に接触することから防がれるので、安全な構造とすることができる。
また、本実施の形態においては、移動部２０において、穿孔動作に伴う移動をし、数値カウンタ３に数値入力を行う部材をカバー部材５とし、ドリルビットＤやチャック１を覆う形状、構成にしたが、本発明はこれに限定されるものではなく、回転軸２方向に移動可能であり、穿孔動作に伴い、数値カウンタ３に数値入力を行う部材であれば、その形状等は任意である。
また、その他、具体的な細部構造等についても適宜に変更可能であることは勿論である。
【００２５】
【発明の効果】
請求項１記載の発明によれば、穿孔工具は、穿孔工具に備えられた穿孔ビットにより対象物に穿孔を施す動作を検知して、例えば、穿孔ビットが対象物の基準点から所定距離移動したことを検知して、表示数を増加させるカウンタを備えているので、穿孔動作と連動し、施された穿孔の数をカウンタに自動的に表示することができ、穿孔動作と同時に穿孔の数を正確に把握することが可能となる。
【００２６】
請求項２記載の発明によれば、穿孔工具は、穿孔工具に備えられた穿孔ビットにより対象物に穿孔を施す動作と連動して、穿孔ビットの軸方向に移動するカバー部材の移動回数を計数して表示するカウンタを備えているので、穿孔動作に伴うカバー部材の移動回数に基づき、施された穿孔の数をカウンタに自動的に表示することができ、穿孔動作と同時に穿孔の数を正確に把握することが可能となる。
【００２７】
請求項３記載の発明によれば、請求項２に記載の発明と同様の効果が得られることは無論のこと、特に、カバー部材は、穿孔工具本体に固定された固定部材に、穿孔ビットの軸方向に移動自在に保持されるとともに、付勢手段により先端部側に付勢されている構成であり、カバー部材に一体的に固定され、カウンタに設けられたカウンタスイッチを押下する連結ロッドを有しているので、穿孔動作時にカバー部材が穿孔ビットの軸方向へ移動する回数をカウンタがより確実に計数することができる。
【図面の簡単な説明】
【図１】本発明にかかる穿孔工具を示す側面図である。
【図２】本発明にかかる穿孔工具を示す平面図である。
【図３】本発明にかかる穿孔工具を穿孔工具本体と移動部とに分離した状態を示す側面図である。
【図４】図３におけるＩＶ−ＩＶ線における断面図である。
【図５】図３に示される移動部の矢印Ｖ方向からの前面図である。
【図６】本発明の穿孔工具にドリルビットが保持された状態を示す側面図である。
【図７】ドリルビットが保持された穿孔工具と、穿孔を施す対象物を示す平面図である。
【図８】ドリルビットが保持された穿孔工具と、穿孔を施す対象物を示す平面図である。
【図９】ドリルビットが保持された穿孔工具と、穿孔を施す対象物を示す平面図である。
【符号の説明】
１　　　チャック
２　　　回転軸
３　　　数値カウンタ（カウンタ）
３ａ　　カウンタスイッチ
３ｂ　　表示部
３ｃ　　リセットスイッチ
４　　　固定部（固定部材）
４ａ　　ヒンジ
４ｂ　　上固定部材
４ｃ　　下固定部材
４ｄ　　固定ボルト
４ｅ　　貫通孔
５　　　カバー部材
５ａ　　ロッド部材
５ｂ　　第１のリング部材
５ｃ　　第２のリング部材
５ｄ　　開口部（先端部）
５ｅ　　ヘッドリング部材
５ｆ　　連結ロッド
６　　　コイルばね（付勢手段）
１０　　穿孔工具本体
１０ａ　筒部
１０ｂ　穿孔操作スイッチ
２０　　移動部
１００　穿孔工具
Ｄ　　　ドリルビット（穿孔ビット）
Ｔ　　　対象物
Ｈ　　　穿孔
【図１】
2004082250.tif 000003
【図２】
2004082250.tif 000004
【図３】
2004082250.tif 000005
【図４】
2004082250.tif 000006
【図５】
2004082250.tif 000007
【図６】
2004082250.tif 000008
【図７】
2004082250.tif 000009
【図８】
2004082250.tif 000010
【図９】
2004082250.tif 000011